(57)【要約】【課題】ＩＥＥＥ１３９４シリアルバスケーブルを介してＤＶカムコーダと接続可能なＨＤＤレコーダにおいて、ＤＶカムコーダからダビングした録画ファイルを探し出すのに要する時間と手間を大きく削減する。【解決手段】各種の録画ファイルを一覧表示した録画ファイル一覧表示画面がモニタ上に表示された状態で（Ｓ１１）、ＨＤＤレコーダがＤＶカムコーダと接続されると（Ｓ１２でＹＥＳ）、ＨＤＤレコーダ側のマイクロプロセッサは、録画ファイルレコード内の録画元判別用情報に基いて、ＨＤＤレコーダ内のハードディスクに格納された各種の録画ファイルの中から、ＤＶカムコーダよりダビングした録画ファイルのみを抽出して、録画ファイル一覧表示画面に表示する（Ｓ１３）。【選択図】図６
2006314017.tif 000002
【特許請求の範囲】
【請求項１】
ＩＥＥＥ１３９４シリアルバスケーブルを介してＤＶ(Digital Video)カムコーダと接続可能であり、
前記ＤＶカムコーダ及び自機に対する各種指示操作を行うための操作手段と、
前記ＤＶカムコーダとの間でＡＶ／Ｃコマンドとその応答信号の送受信、及び録画ファイルデータの受信を行うためのＩＥＥＥ１３９４インタフェースと、
前記ＩＥＥＥ１３９４インタフェースを介して前記ＤＶカムコーダから受信した録画ファイルデータを含む各種の録画ファイルデータを記録するためのハードディスクと、
前記ハードディスクに格納された各種の録画ファイルの一覧表示画面を編集するための一覧表示画面編集手段とを備え、
前記一覧表示画面編集手段により編集された各種の録画ファイルの一覧表示画面を表示するための表示手段と接続されたハードディスクレコーダにおいて、
前記操作手段を用いてユーザにより録画が指示されたときに、録画により作成された録画ファイルに録画元の接続機器の判別用情報を付加する録画元判別用情報付加手段と、
前記ＩＥＥＥ１３９４シリアルバスケーブルを用いて当該ハードディスクレコーダがＤＶカムコーダと接続されたときに、前記ＤＶカムコーダから受信したサブユニット情報に基いて、前記ＤＶカムコーダと接続されたことを検知する接続検知手段と、
前記一覧表示画面編集手段により編集された各種の録画ファイルの一覧表示画面が前記表示手段に一覧表示された状態で、前記接続検知手段により当該ハードディスクレコーダが前記ＤＶカムコーダと接続されたことが検知されたときに、前記録画元判別用情報付加手段により付加された録画元の接続機器の判別用情報に基いて、前記ハードディスクに格納された各種の録画ファイルの中から前記ＤＶカムコーダからダビングした録画ファイルのみを抽出し、抽出した録画ファイルのみからなる一覧表示画面を前記一覧表示画面編集手段により編集して、この一覧表示画面を前記表示手段に出力するように制御する一覧表示切替制御手段とを備えたことを特徴とするハードディスクレコーダ。
【請求項２】
ケーブルを介してＤＶ(Digital Video)カムコーダと接続可能であり、
前記ＤＶカムコーダ及び自機に対する各種指示操作を行うための操作手段と、
前記ＤＶカムコーダとの間で制御コマンドとその応答信号の送受信、及び録画ファイルデータの受信を行うためのインタフェース部と、
前記インタフェース部を介して前記ＤＶカムコーダから受信した録画ファイルデータを含む各種の録画ファイルデータを記録するためのハードディスクと、
前記ハードディスクに格納された各種の録画ファイルの一覧表示画面を編集するための一覧表示画面編集手段とを備え、
前記一覧表示画面編集手段により編集された各種の録画ファイルの一覧表示画面を表示するための表示手段に一覧表示画面を出力可能なハードディスクレコーダにおいて、
前記操作手段を用いてユーザにより録画が指示されたときに、録画により作成された録画ファイルに録画元の接続機器の判別用情報を付加する録画元判別用情報付加手段と、
前記ケーブルを用いて当該ハードディスクレコーダがＤＶカムコーダと接続されたときに、前記ＤＶカムコーダと接続されたことを検知する接続検知手段と、
前記接続検知手段により当該ハードディスクレコーダが前記ＤＶカムコーダと接続されたことが検知されたときに、前記録画元判別用情報付加手段により付加された録画元の接続機器の判別用情報に基いて、前記ハードディスクに格納された各種の録画ファイルの中から前記ＤＶカムコーダからダビングした録画ファイルのみを抽出し、抽出した録画ファイルのみからなる一覧表示画面を前記一覧表示画面編集手段により編集して、この一覧表示画面を前記表示手段に出力するように制御する一覧表示切替制御手段とを備えたことを特徴とするハードディスクレコーダ。
【請求項３】
前記ケーブルは、ＩＥＥＥ１３９４シリアルバスケーブルであることを特徴とする請求項２に記載のハードディスクレコーダ。
【発明の詳細な説明】
【技術分野】
【０００１】
本発明は、ＩＥＥＥ１３９４シリアルバスケーブルを介してＤＶ(Digital Video)カムコーダと接続可能なハードディスクレコーダに関する。
【背景技術】
【０００２】
従来、ＩＥＥＥ１３９４用の接続端子を有するハードディスクレコーダ（以下、ＨＤＤ（hard disc drive）レコーダという）は、ＤＶ(Digital Video)カムコーダからＩＥＥＥ１３９４シリアルバスケーブルを介して録画ファイルをダビングすることができる。しかし、ＨＤＤレコーダの記録容量が大容量になるにつれて、ＨＤＤレコーダに格納された録画ファイルの中から、ＤＶカムコーダからダビングした録画ファイルを探すのに要する時間は、長くなってしまう。特に、ＨＤＤレコーダに格納された録画ファイルの数が１００個以上ある場合には、ＨＤＤレコーダ内の録画ファイルの中から、ＤＶカムコーダからダビングした録画ファイルを探し出すのに要する時間と手間が大きくなってしまう。
【０００３】
これに対して、ＨＤＤレコーダに格納された録画ファイルをジャンル、日付等でグループ分けしておくことにより、ＨＤＤレコーダ内の録画ファイルの中から目的の録画ファイルを探し出すのに要する時間を短縮する方法がある。しかし、この方法には、ユーザによる録画ファイルのグループ分け操作が必要になり、非常に手間がかかるという問題があった。
【０００４】
そこで、録音再生装置において、ＩＳＲＣ（International Standard Recording Code）に従って、自動的に楽曲のグループ分けを行うようにしたものが知られている（特許文献１参照）。また、画像再生装置の分野において、メディアに記録された静止画像データを、タグ情報に含まれる撮影日時情報に基いて、自動的に撮影日毎にグループ化して一覧表示するようにしたものが知られている（特許文献２参照）。
【０００５】
けれども、上記特許文献１及び２に記載された発明では、録画ファイルをダビング元の接続機器毎にグループ化することができないので、ＤＶカムコーダからダビングした録画ファイルを探し出すのに要する時間と手間を大きく削減することはできない。
【０００６】
また、画像再生装置の分野において、接続された複数の画像記憶装置のうちの一つの画像記憶装置から連続して記録された画像データを読み取って、その画像記憶装置から読み取った画像データの境を検出すると、画像データの境に続く画像データを記録している画像記憶装置を検出し、検出した画像記憶装置に切り替えて画像データを読み取り、読み取った画像データを表示装置に順次再生するものが知られている（特許文献３参照）。しかし、この発明では、上記の問題を解決することはできない。
【特許文献１】特開２００１−２９１３６５号公報
【特許文献２】特開２００４−１２０４０１号公報
【特許文献３】特開２００４−３０４４８８号公報
【発明の開示】
【発明が解決しようとする課題】
【０００７】
本発明は、上記の問題を解決するためになされたものであり、ＤＶカムコーダからダビングした録画ファイルを探し出すのに要する時間と手間を大きく削減することが可能なハードディスクレコーダを提供することを目的とする。
【課題を解決するための手段】
【０００８】
上記目的を達成するために請求項１の発明は、ＩＥＥＥ１３９４シリアルバスケーブルを介してＤＶ(Digital Video)カムコーダと接続可能であり、前記ＤＶカムコーダ及び自機に対する各種指示操作を行うための操作手段と、前記ＤＶカムコーダとの間でＡＶ／Ｃコマンドとその応答信号の送受信、及び録画ファイルデータの受信を行うためのＩＥＥＥ１３９４インタフェースと、前記ＩＥＥＥ１３９４インタフェースを介して前記ＤＶカムコーダから受信した録画ファイルデータを含む各種の録画ファイルデータを記録するためのハードディスクと、前記ハードディスクに格納された各種の録画ファイルの一覧表示画面を編集するための一覧表示画面編集手段とを備え、前記一覧表示画面編集手段により編集された各種の録画ファイルの一覧表示画面を表示するための表示手段と接続されたハードディスクレコーダにおいて、前記操作手段を用いてユーザにより録画が指示されたときに、録画により作成された録画ファイルに録画元の接続機器の判別用情報を付加する録画元判別用情報付加手段と、前記ＩＥＥＥ１３９４シリアルバスケーブルを用いて当該ハードディスクレコーダがＤＶカムコーダと接続されたときに、前記ＤＶカムコーダから受信したサブユニット情報に基いて、前記ＤＶカムコーダと接続されたことを検知する接続検知手段と、前記一覧表示画面編集手段により編集された各種の録画ファイルの一覧表示画面が前記表示手段に一覧表示された状態で、前記接続検知手段により当該ハードディスクレコーダが前記ＤＶカムコーダと接続されたことが検知されたときに、前記録画元判別用情報付加手段により付加された録画元の接続機器の判別用情報に基いて、前記ハードディスクに格納された各種の録画ファイルの中から前記ＤＶカムコーダからダビングした録画ファイルのみを抽出し、抽出した録画ファイルのみからなる一覧表示画面を前記一覧表示画面編集手段により編集して、この一覧表示画面を前記表示手段に出力するように制御する一覧表示切替制御手段とを備えたものである。
【０００９】
請求項２の発明は、ケーブルを介してＤＶ(Digital Video)カムコーダと接続可能であり、前記ＤＶカムコーダ及び自機に対する各種指示操作を行うための操作手段と、前記ＤＶカムコーダとの間で制御コマンドとその応答信号の送受信、及び録画ファイルデータの受信を行うためのインタフェース部と、前記インタフェース部を介して前記ＤＶカムコーダから受信した録画ファイルデータを含む各種の録画ファイルデータを記録するためのハードディスクと、前記ハードディスクに格納された各種の録画ファイルの一覧表示画面を編集するための一覧表示画面編集手段とを備え、前記一覧表示画面編集手段により編集された各種の録画ファイルの一覧表示画面を表示するための表示手段に一覧表示画面を出力可能なハードディスクレコーダにおいて、前記操作手段を用いてユーザにより録画が指示されたときに、録画により作成された録画ファイルに録画元の接続機器の判別用情報を付加する録画元判別用情報付加手段と、前記ケーブルを用いて当該ハードディスクレコーダがＤＶカムコーダと接続されたときに、前記ＤＶカムコーダと接続されたことを検知する接続検知手段と、前記接続検知手段により当該ハードディスクレコーダが前記ＤＶカムコーダと接続されたことが検知されたときに、前記録画元判別用情報付加手段により付加された録画元の接続機器の判別用情報に基いて、前記ハードディスクに格納された各種の録画ファイルの中から前記ＤＶカムコーダからダビングした録画ファイルのみを抽出し、抽出した録画ファイルのみからなる一覧表示画面を前記一覧表示画面編集手段により編集して、この一覧表示画面を前記表示手段に出力するように制御する一覧表示切替制御手段とを備えたものである。
【００１０】
請求項３の発明は、請求項２に記載のハードディスクレコーダにおいて、前記ケーブルをＩＥＥＥ１３９４シリアルバスケーブルとしたものである。
【発明の効果】
【００１１】
請求項１の発明によれば、各種の録画ファイルの一覧表示画面が表示手段に一覧表示された状態で、ハードディスクレコーダがＤＶカムコーダと接続されると、ハードディスクに格納された各種の録画ファイルの中から、ＤＶカムコーダよりダビングした録画ファイルのみが、一覧表示画面に表示される。これにより、ＤＶカムコーダからダビングした録画ファイルを探し出すのに要する時間と手間を大きく削減することができ、ユーザによる録画ファイルのグループ分け操作も不要になる。従って、ＤＶカムコーダからダビングした録画ファイルの再生・削除等の処理を容易に行うことができる。
【００１２】
請求項２の発明によれば、ハードディスクレコーダがＤＶカムコーダと接続されると、ハードディスクに格納された各種の録画ファイルの中から、ＤＶカムコーダよりダビングした録画ファイルのみが、一覧表示画面に表示される。これにより、ＤＶカムコーダからダビングした録画ファイルを探し出すのに要する時間と手間を大きく削減することができ、ユーザによる録画ファイルのグループ分け操作も不要になる。従って、ＤＶカムコーダからダビングした録画ファイルの再生・削除等の処理を容易に行うことができる。
【発明を実施するための最良の形態】
【００１３】
本発明を実施するための最良の形態について図面を参照して説明する。本発明は、ＩＥＥＥ１３９４シリアルバスケーブルを介してＤＶ(Digital Video)カムコーダと接続可能なハードディスクレコーダ（以下、ＨＤＤ（hard disc drive）レコーダという）に関するものである。なお、以下に記載した実施形態は、本発明を網羅するものではなく、本発明は、下記の形態だけに限定されない。
【００１４】
図１は、本実施形態によるＨＤＤレコーダと、このＨＤＤレコーダに接続されたＤＶカムコーダ及びＤＴＶ（digital television）の外観を示す。ＨＤＤレコーダ１は、ＩＥＥＥ１３９４用の接続端子を有し、ＩＥＥＥ１３９４用の制御コマンドによって録画や再生を行うことが可能なタイプのＨＤＤレコーダである。図に示されるように、このＨＤＤレコーダ１は、ＩＥＥＥ１３９４シリアルバスケーブル５（以下、ケーブルと略す）を用いて、ＤＴＶ２及びＤＶカムコーダ３と接続可能である。ＨＤＤレコーダ１は、ＤＴＶ２とは常時接続されているが、ＤＶカムコーダ３とは、ＤＶカムコーダ３から録画ファイルをダビングする場合等、必要な場合に限り、接続される。ユーザは、ＨＤＤレコーダ１とＤＶカムコーダ３とを接続する際には、ケーブル５の一端に設けられたコネクタ６をＨＤＤレコーダ１側の接続端子に接続し、ケーブル５の他端に設けられたコネクタ６をＤＶカムコーダ３側の接続端子に接続する。ＤＴＶ２は、ディジタルテレビジョン放送信号の受信機（以下、ディジタルテレビ受信機という）を内蔵しており、受信したディジタルテレビジョン放送信号に基づく映像をモニタ４（表示手段）上に表示すると共に、ＨＤＤレコーダ１側におけるユーザの操作内容に基いて、モニタ４上に、ＨＤＤレコーダ１用のメニュー画像や、ＨＤＤレコーダ１に格納された各種の録画ファイルの一覧表示画面を表示する。ＨＤＤレコーダ１は、ＤＴＶ２からケーブル５を介して受信したディジタルテレビジョン放送や、ＤＶカムコーダ３から受信した撮影画像を録画可能である。
【００１５】
図２は、上記のＨＤＤレコーダ１とＤＶカムコーダ３の電気的ブロック構成を示す。この図は、ＨＤＤレコーダ１とＤＶカムコーダ３とが、ＩＥＥＥ１３９４シリアルバス５０（以下、バスと略す）を介して接続された状態における電気的ブロック構成図である。ＨＤＤレコーダ１は、装置の各部を制御するためのマイクロプロセッサ１１を備えている。また、ＨＤＤレコーダ１は、マイクロプロセッサ１１の制御用のプログラムや、各種の作業用データ等を記憶するためのメモリ１７と、バス５０を介してＤＶカムコーダ３等の外部入出力機器との間で、録画ファイルデータ等のストリームデータや制御コマンド等のデータの送受信を行うためのＩＥＥＥ１３９４インタフェース１３（以下、インタフェースと略す）とを有している。上記のメモリ１７に格納される制御用のプログラムには、ＤＶテープ中の録画ファイルのダビング処理を記述した命令コードからなるダビング処理プログラム９（以下、ダビング処理ＰＧという）、及びＤＶテープ中の録画ファイルからダビングした録画ファイルを含む、ＨＤＤレコーダ１に格納された各種の録画ファイルの一覧表示画面の編集処理を記述した命令コードからなる録画ファイル一覧表示プログラム８（以下、録画ファイル一覧表示ＰＧという）が含まれている。また、ＨＤＤレコーダ１は、記録媒体である複数枚のハードディスク１５と、これらのハードディスク１５に対してデータの記録・読取を行う複数の磁気ヘッド１６と、磁気ヘッド１６を駆動するヘッド駆動部１４と、記録するデータ又は読み出したデータを一時的に保存するバッファメモリ１２とを備えている。上記のマイクロプロセッサ１１と録画ファイル一覧表示ＰＧ８とが、請求項における一覧表示画面編集手段、接続検知手段、及び一覧表示切替制御手段に相当する。上記のマイクロプロセッサ１１とダビング処理ＰＧ９とが、請求項における録画元判別用情報付加手段に相当する。さらにまた、ＨＤＤレコーダ１は、リモコン２０（操作手段）から送信された赤外線信号を受信する赤外線信号受信部１９を有している。
【００１６】
上記のリモコン２０は、各種のキーからなるキー部２４と赤外線信号発信部２１とを有している。キー部２４には、電源キー２３、数字入力用のキー２５、カーソルキー２６、確定キー２７に加えて、ＤＶカムコーダ３側のＤＶテープからＨＤＤレコーダ１側のハードディスク１５へのダビングを指示するためのメニューを含む各種メニューの表示を指示するためのメニューキー２２が配設されている。
【００１７】
また、上記のＤＶカムコーダ３は、ＶＴＲ一体型のＤＶカメラであり、バス５０を介してＨＤＤレコーダ１等との間でＡＶ／Ｃコマンドとその応答信号の送受信、及び録画ファイルデータの送信を行うためのＩＥＥＥ１３９４インタフェース３７（以下、インタフェースと略す）と、撮像した被写体像をアナログ信号の形で出力するＣＣＤ（Charge Coupled Device）３１と、ＣＣＤ３１から出力されたアナログ信号をディジタル信号に変換するＡ／Ｄ変換部３２と、Ａ／Ｄ変換部３２から送られた画像データを一時的に蓄積する画像メモリ３３と、画像メモリ３３に蓄積された画像データに対して各種の画像処理を施すマイクロプロセッサ３４と、フォーマット変換回路３５と、記録再生部３６とを備えている。フォーマット変換回路３５は、マイクロプロセッサ３４による処理後の画像データのストリームデータへのフォーマット変換を行う。記録再生部３６は、フォーマット変換回路３５から出力されたストリームデータ形式の録画ファイルデータのＤＶテープへの書き込みや、ＤＶテープに記録された録画ファイルデータの再生等を行う。また、ＤＶカムコーダ３は、マイクロプロセッサ３４から送られた画像を表示する液晶モニタ３８と、操作部３９と、各種の制御プログラム等のデータを記憶するＲＯＭ４０と、各種の作業用データ等を記憶するＲＡＭ４１とを備えている。
【００１８】
次に、図３のフローチャートを参照して、ＤＶカムコーダ３側のＤＶテープからＨＤＤレコーダ１側のハードディスク１５への録画ファイルのダビング（録画）処理時におけるＨＤＤレコーダ１側の処理について説明する。ユーザが、ＨＤＤレコーダ１とＤＶカムコーダ３とをケーブル５を用いて接続した上で（Ｓ１）、リモコン２０を用いて、ＤＶカムコーダ３側からＨＤＤレコーダ１側への録画ファイルのダビングを指示すると、ＨＤＤレコーダ１側のマイクロプロセッサ１１は、ダビングにより作成された録画ファイルに録画元の接続機器の判別用情報を付加して、この判別用情報付加後の録画ファイルをハードディスク１５に格納する（Ｓ２）。マイクロプロセッサ１１は、例えば、録画元の接続機器へ送信したＡＶ／Ｃコマンドに対する該当の接続機器からのレスポンスに含まれるサブユニットタイプ（subunit type）５１（図４参照）に基いて、録画元の接続機器の種類を判別して、上記の録画元の接続機器の判別用情報を編集する。
【００１９】
図５（ａ）（ｂ）は、いずれも上記の録画元の接続機器の判別用情報（以下、録画元判別用情報という）が付加された後の録画ファイルのレコードフォーマットの例を示す。図５（ａ）（ｂ）は、それぞれ同一の種類の録画元接続機器が一つしか接続されていない場合と、同一の種類の録画元接続機器が複数接続されている場合における録画ファイルのレコードフォーマットの例である。図５（ａ）に示される録画ファイルレコード６０は、ヘッダ部６１と録画元判別用情報６２と録画データ６３とから構成されており、図５（ｂ）に示される録画ファイルレコード６０は、ヘッダ部６１と録画元判別用情報６２とＧＵＩＤ６４と録画データ６３とから構成されている。これらの図中の録画元判別用情報６２には、各録画元接続機器の種類の情報が含まれているだけである。従って、ＨＤＤレコーダ１に同一の種類の録画元接続機器が複数接続されている場合には、ＨＤＤレコーダ１側のマイクロプロセッサ１１は、上記の録画元判別用情報６２のみに基いて、ハードディスク１５に格納されている録画ファイルが、どの接続機器から受信したデータに基いて作成した録画ファイルかを判別することができない。そこで、図５（ｂ）に示されるように、録画ファイルレコード６０に、上記の録画元判別用情報６２に加えて、録画元接続機器のＧＵＩＤ６４のデータを持たせる。これにより、同一の種類の録画元接続機器が複数接続されている場合においても、ＨＤＤレコーダ１側のマイクロプロセッサ１１は、これらの録画元判別用情報６２とＧＵＩＤ６４とに基いて、ハードディスク１５に格納されている録画ファイルが、どの接続機器から受信したデータに基いて作成した録画ファイルかを判別することができる。
【００２０】
本ＨＤＤレコーダ１は、上記の録画元判別用情報６２に基いて、ＨＤＤレコーダ１内に格納された各種の録画ファイルの中から、ＤＶカムコーダ３からダビングした録画ファイルのみを抽出して、モニタ４上に一覧表示することができる。
【００２１】
次に、図６のフローチャートに加えて、図７及び図８を参照して、上記のＤＶカムコーダ３からダビングした録画ファイルの一覧表示処理について説明する。ユーザが、リモコン２０を用いて、図７に示されるように、ＨＤＤレコーダ１内に格納された各種の録画ファイル（ＤＶカムコーダ３からダビングした録画ファイル７２以外の録画ファイル７１を含む各種録画ファイル）の一覧表示画面７０（以下、録画ファイル一覧表示画面という）をＤＴＶ２のモニタ４上に一覧表示させた状態で（Ｓ１１）、ケーブル５を用いてＨＤＤレコーダ１とＤＶカムコーダ３とを接続させると、ＨＤＤレコーダ１側のマイクロプロセッサ１１は、ＤＶカムコーダ３から受信したサブユニット情報に基いて、ＤＶカムコーダ３と接続されたことを検知する（Ｓ１２でＹＥＳ）。具体的には、ＨＤＤレコーダ１側のマイクロプロセッサ１１は、接続機器から受信したサブユニット情報が、カメラサブユニットとテープレコーダ／プレーヤサブユニットのサブユニット情報であるときには、ＤＶカムコーダ３と接続されたことを検知する。
【００２２】
上記のＤＶカムコーダ３との接続の検知が完了すると、ＨＤＤレコーダ１側のマイクロプロセッサ１１は、図５（ａ）に示される録画ファイルレコード６０内の録画元判別用情報６２に基いて、ハードディスク１５に格納された各種の録画ファイルの中からＤＶカムコーダ３からダビングした録画ファイル７２のみを抽出し、抽出した録画ファイル７２のみからなる録画ファイル一覧表示画面７０（図８参照）を編集して、この一覧表示画面７０をモニタ４上に出力するように制御する（録画ファイル一覧表示画面７０の表示をＤＶカムコーダ３からダビングした録画ファイル７２のみの表示に切り替える）（Ｓ１３）。
【００２３】
上記のように、本実施形態によるＨＤＤレコーダ１によれば、各種の録画ファイルを一覧表示した録画ファイル一覧表示画面７０がモニタ４上に表示された状態で、ＨＤＤレコーダ１がＤＶカムコーダ３と接続されると、ＨＤＤレコーダ１内のハードディスク１５に格納された各種の録画ファイルの中から、ＤＶカムコーダ３よりダビングした録画ファイルのみが、録画ファイル一覧表示画面７０に表示される。これにより、ＤＶカムコーダ３からダビングした録画ファイルを探し出すのに要する時間と手間を大きく削減することができ、ユーザによる録画ファイルのグループ分け操作も不要になる。従って、ＤＶカムコーダ３からダビングした録画ファイルの再生・削除等の処理を容易に行うことができる。
【００２４】
なお、本発明は、上記実施形態に限られるものではなく、様々な変形が可能である。例えば、上記の実施形態では、ＩＥＥＥ１３９４シリアルバスケーブルを用いて、ＨＤＤレコーダとＤＶカムコーダとを接続した場合の例について示したが、本発明の適用対象となるＨＤＤレコーダは、ＩＥＥＥ１３９４シリアルバスケーブルを用いてＤＶカムコーダと接続可能なものに限られず、例えば、無線ＬＡＮを用いてＤＶカムコーダと接続可能なものであってもよい。また、上記の実施形態では、各種の録画ファイルが一覧表示された状態で、ＤＶカムコーダと接続されると、ＤＶカムコーダよりダビングした録画ファイルのみを一覧表示するようにしたが、各種の録画ファイルが一覧表示されているか否かに係らず、ＤＶカムコーダと接続されると、ＤＶカムコーダよりダビングした録画ファイルを一覧表示するようにしてもよい。さらにまた、各種の録画ファイルが一覧表示された状態で、ＤＶカムコーダと接続されると、ＤＶカムコーダの記録媒体（例えば、ＤＶＤ(Digital Versatile Disc)やメモリカード）に格納された録画ファイルを一覧表示するようにしてもよい。また、録画元の接続機器が、ＤＶＤレコーダのように、常時接続されているタイプの接続機器である場合には、録画元の接続機器の電源がオンになったときに、この接続機器からダビングした録画ファイルのみを一覧表示するようにしてもよい。
【図面の簡単な説明】
【００２５】
【図１】本発明の一実施形態によるＨＤＤレコーダと、このＨＤＤレコーダに接続されたＤＶカムコーダ及びＤＴＶの外観を示す斜視図。
【図２】上記ＨＤＤレコーダとＤＶカムコーダの電気的ブロック構成図。
【図３】上記ＨＤＤレコーダにおけるＤＶカムコーダからのダビング処理のフローチャート。
【図４】上記ＤＶカムコーダからＨＤＤレコーダに送信されるＡＶ／Ｃコマンド（レスポンス）フレームのフォーマットを示す図。
【図５】（ａ）（ｂ）は、それぞれ同一の種類の録画元接続機器が一つしか接続されていない場合と、同一の種類の録画元接続機器が複数接続されている場合における録画ファイルのレコードフォーマットの例を示す図。
【図６】上記ＨＤＤレコーダにおけるＤＶカムコーダからダビングした録画ファイルの一覧表示処理のフローチャート。
【図７】上記ＨＤＤレコーダからモニタに出力される、ＤＶカムコーダとの接続前の録画ファイル一覧表示画面を示す図。
【図８】上記ＨＤＤレコーダからモニタに出力される、ＤＶカムコーダとの接続後の録画ファイル一覧表示画面を示す図。
【符号の説明】
【００２６】
１    ＨＤＤレコーダ
３    ＤＶカムコーダ
４    モニタ（表示手段）
５    ケーブル（ＩＥＥＥ１３９４シリアルバスケーブル）
１１  マイクロプロセッサ（一覧表示画面編集手段、録画元判別用情報付加手段、接続検知手段、一覧表示切替制御手段）
１３  インタフェース（ＩＥＥＥ１３９４インタフェース）
１５  ハードディスク
２０  リモコン（操作手段）
７０  録画ファイル一覧表示画面（一覧表示画面）
７２  録画ファイル（ＤＶカムコーダからダビングした録画ファイル）
【図１】
2006314017.tif 000003
【図２】
2006314017.tif 000004
【図３】
2006314017.tif 000005
【図４】
2006314017.tif 000006
【図５】
2006314017.tif 000007
【図６】
2006314017.tif 000008
【図７】
2006314017.tif 000009
【図８】
2006314017.tif 000010